(57)【要約】【課題】基板が挿入されたハウジング内に異物が侵入することを抑制する。【解決手段】電気コネクタ１０は、挿入口１８から内部に基板１２が挿入され、挿入口１８の縁部と基板１２との間に隙間１９が形成されるハウジング１４と、ハウジング１４内に挿入された基板１２と電気的に接続される端子と、ハウジング１４に回動可能に取り付けられたカバー５２（回動部材）とを備えている。カバー５２は、ハウジング１４内に位置する基板当接部５２Ｂ１と、挿入口１８側へ延びる延出部５２Ｃとを有しており、ハウジング１４に挿入された基板１２が基板当接部５２Ｂ１に当接することで開位置から閉位置へと回動される。これにより、上記隙間１９の少なくとも一部が、カバー５２の延出部５２Ｃによって覆われる。【選択図】図１
2020035526.tif 000002
【特許請求の範囲】
【請求項１】
挿入口から内部に基板が挿入され、前記挿入口の縁部と前記基板との間に隙間が形成されるハウジングと、
前記ハウジング内に挿入された前記基板と電気的に接続される端子と、
前記ハウジングに回動可能に取り付けられ、前記ハウジング内へ延びる基板当接部、及び前記挿入口側へ延びる延出部を有し、前記ハウジング内に挿入された前記基板が前記基板当接部に当接することで開位置から閉位置へと回動されて前記延出部が前記隙間の少なくとも一部を覆う回動部材と、
を備えた電気コネクタ。
【請求項２】
前記回動部材が前記閉位置へと回動されることで、前記延出部の先端部が前記基板と当接する請求項１に記載の電気コネクタ。
【請求項３】
前記端子は、前記ハウジング内に挿入された前記基板と接触する腕部を有しており、
前記腕部は、前記ハウジング内への前記基板の挿入時に、前記基板当接部より先に前記基板と接触するように配置されている請求項１又は請求項２に記載の電気コネクタ。
【請求項４】
前記回動部材を前記開位置へと付勢する付勢部を備えている請求項１〜請求項３の何れか１項に記載の電気コネクタ。
【請求項５】
前記回動部材は、前記ハウジング内に挿入された挿入状態の前記基板から離れる側へ変位可能に前記ハウジングに支持されており、
少なくとも前記回動部材が前記離れる側へ変位した場合に、前記回動部材を前記挿入状態の基板側へ付勢する付勢部を備えている請求項１〜請求項４の何れか１項に記載の電気コネクタ。
【請求項６】
前記付勢部は、前記ハウジングに固定されるハウジング固定部と、前記ハウジングが実装される回路基板に固定される基板固定部とを有している請求項４又は請求項５に記載の電気コネクタ。
【請求項７】
前記回動部材は、前記ハウジングに軸支された回動軸を有し、当該回動軸の外周面に形成された平面部に前記付勢部が押し当てられることで前記回動部材が前記開位置に保持される請求項４〜請求項６の何れか１項に記載の電気コネクタ。
【請求項８】
前記延出部における前記基板との当接面は、前記基板当接部における前記基板との当接面を含む平面上、又は当該平面を介して前記延出部の基端部とは反対側に配置されている請求項２又は請求項２を引用する請求項３〜請求項７の何れか１項に記載の電気コネクタ。
【発明の詳細な説明】
【技術分野】
【０００１】
本発明は、電気コネクタに関し、より具体的には、挿入される基板と接続される電気コネクタに関する。
【背景技術】
【０００２】
下記特許文献１には、基板間接続を行う電気コネクタが開示されている。この電気コネクタでは、一対のコネクタが一対の基板にそれぞれ実装される。そして、各コネクタに中継用基板が嵌合することで、一対の基板と中継用基板とが導通接続される。各コネクタのハウジングは、端子を収容する収容部と、中継用基板の挿入口と、挿入口に連通する嵌合室とを有しており、挿入口へ挿入された中継用基板の接触面に端子の接触部が押圧接触することで、端子と中継用基板とが導通接続される構成になっている。
【先行技術文献】
【特許文献】
【０００３】
【特許文献１】特開２０１５−１８５４２１号公報
【発明の概要】
【発明が解決しようとする課題】
【０００４】
上記のような中継用基板は、厚さ寸法のばらつきが大きいため、ハウジングの挿入口は、中継用基板の厚みに対してクリアランスを大きく確保して形成される。そのため、ハウジングの挿入口の縁部と中継用基板と間に隙間が生じ、当該隙間からハウジング内に異物が侵入することで、導通不良やショート等を引き起こす可能性があった。
【０００５】
本発明は上記事実を考慮し、基板が挿入されたハウジング内に異物が侵入することを抑制可能な電気コネクタを得ることを目的とする。
【課題を解決するための手段】
【０００６】
請求項１に記載の発明に係る電気コネクタは、挿入口から内部に基板が挿入され、前記挿入口の縁部と前記基板との間に隙間が形成されるハウジングと、前記ハウジング内に挿入された前記基板と電気的に接続される端子と、前記ハウジングに回動可能に取り付けられ、前記ハウジング内へ延びる基板当接部、及び前記挿入口側へ延びる延出部を有し、前記ハウジング内に挿入された前記基板が前記基板当接部に当接することで開位置から閉位置へと回動されて前記延出部が前記隙間の少なくとも一部を覆う回動部材と、を備えている。
【０００７】
請求項１に記載の電気コネクタによれば、ハウジングの挿入口からハウジング内に基板が挿入されると、挿入口の縁部と基板との間に隙間が形成されると共に、基板が端子と電気的に接続される。ここで、上記のハウジングには、回動部材が回動可能に取り付けられている。この回動部材は、ハウジング内へ延びる基板当接部と、挿入口側へ延びる延出部とを有しており、ハウジング内に挿入された基板が基板当接部に当接することで開位置から閉位置へと回動される。これにより、回動部材の延出部が上記の隙間の少なくとも一部を覆うので、上記の隙間からハウジング内に異物が侵入することを抑制できる。
【０００８】
請求項２に記載の発明に係る電気コネクタは、請求項１において、前記回動部材が前記閉位置へと回動されることで、前記延出部が前記基板と当接する。
【０００９】
請求項２に記載の電気コネクタによれば、回動部材が閉位置へと回動されると、延出部が基板と当接する。これにより、延出部と基板とが当接した部分（即ち延出部と基板との間の全部又は一部）に隙間が形成されないようにすることができるので、延出部が基板と当接しない場合と比較して、ハウジング内への異物の侵入をより効果的に抑制することができる。
【００１０】
請求項３に記載の発明に係る電気コネクタは、請求項１又は請求項２において、前記端子は、前記ハウジング内に挿入された前記基板と接触する腕部を有しており、前記腕部は、前記ハウジング内への前記基板の挿入時に、前記基板当接部より先に前記基板と接触するように配置されている。
【００１１】
請求項３に記載の電気コネクタによれば、端子は、ハウジング内に挿入された基板と接触する腕部を有している。この腕部は、ハウジング内への基板の挿入時に、回動部材の基板当接部より先に基板と接触するように配置されている。このように、端子の腕部と基板当接部とが基板と接触するタイミング（位置）をずらすことにより、基板挿入時の挿入力を低減することができる。また、基板が端子の腕部と接触する前に基板当接部と当接する場合、当該当接によって発生する異物（削り屑）が端子の腕部と基板との間に挟まれて導通不良等の原因になる可能性があるが、本発明ではこれを回避することができる。
【００１２】
請求項４に記載の発明に係る電気コネクタは、請求項１〜請求項３の何れか１項において、前記回動部材を前記開位置へと付勢する付勢部を備えている。
【００１３】
請求項４に記載の電気コネクタによれば、回動部材が付勢部によって開位置へと付勢されている。これにより、ハウジング内への基板挿入時に、回動部材の延出部が挿入作業の邪魔にならないようにすることができる。また、基板がハウジングから抜去された際には、回動部材が付勢部の付勢力によって閉位置から開位置へと回動されるので、回動部材を手作業等で開位置へと戻す手間がかからなくなる。
【００１４】
請求項５に記載の発明に係る電気コネクタは、請求項１〜請求項４の何れか１項において、前記回動部材は、前記ハウジング内に挿入された挿入状態の前記基板から離れる側へ変位可能に前記ハウジングに支持されており、少なくとも前記回動部材が前記離れる側へ変位した場合に、前記回動部材を前記挿入状態の基板側へ付勢する付勢部を備えている。
【００１５】
請求項５に記載の電気コネクタでは、上記のように構成されているので、ハウジング内に挿入された基板の寸法のばらつきに応じて回動部材を変位させつつ、回動部材が基板から離れることを防止できる。これにより、基板の寸法のばらつきを吸収することができる。なお、請求項５に記載の付勢部は、請求項４に記載の付勢部と同一のものであってもよいし、別のものであってもよい。
【００１６】
請求項６に記載の発明に係る電気コネクタは、請求項４又は請求項５において、前記付勢部は、前記ハウジングに固定されるハウジング固定部と、前記ハウジングが実装される回路基板に固定される基板固定部とを有している。
【００１７】
請求項６に記載の電気コネクタによれば、前述した付勢部は、ハウジングに固定されるハウジング固定部と、ハウジングが実装される回路基板に固定される基板固定部とを有している。つまり、この付勢部は、ハウジングを回路基板に固定するための固定具としても機能するので、上記の固定具を付勢部とは別に設ける場合と比較して、部品点数を少なくすることができる。
【００１８】
請求項７に記載の発明に係る電気コネクタは、請求項４〜請求項６の何れか１項において、前記回動部材は、前記ハウジングに軸支された回動軸を有し、当該回動軸の外周面に形成された平面部に前記付勢部が押し当てられることで前記回動部材が前記開位置に保持される。
【００１９】
請求項７に記載の電気コネクタによれば、回動部材が有する回動軸の外周面に形成された平面部に付勢部が押し当てられることで、回動部材が開位置に保持される。この回動部材が開位置から閉位置へと回動されると、付勢部が回動軸により押圧され、回動部材が付勢部により開位置へと付勢される。このように構成されているので、例えば捩りばね等を用いて回動部材を開位置へと付勢する場合と比較して、構成を簡素化することができる。
【００２０】
請求項８に記載の発明に係る電気コネクタは、請求項２又は請求項２を引用する請求項３〜請求項７の何れか１項において、前記延出部における前記基板との当接面は、前記基板当接部における前記基板との当接面を含む平面上、又は当該平面を介して前記延出部の基端部とは反対側に配置されている。
【００２１】
請求項８に記載の電気コネクタによれば、回動部材が閉位置へと回動された状態では、当該回動部材が有する基板当接部及び延出部が基板と当接する。しかも、この発明では、延出部における基板との当接面は、基板当接部における基板との当接面を含む平面上、又は当該平面を介して延出部の基端部とは反対側に配置されている。これにより、延出部を基板に対して隙間無く当接させ易くなる。
【発明の効果】
【００２２】
以上説明したように、本発明に係る電気コネクタによれば、基板が挿入されたハウジング内に異物が侵入することを抑制できる。
【図面の簡単な説明】
【００２３】
【図１】本発明の実施形態に係る電気コネクタのハウジングに基板が挿入された状態を示す斜視図である。
【図２】本発明の実施形態に係る電気コネクタのハウジングに基板が挿入された状態を示す平面図である。
【図３】本発明の実施形態に係る電気コネクタのハウジングに基板が挿入された状態を示す側面図である。
【図４】本発明の実施形態に係る電気コネクタを示す斜視図である。
【図５】本発明の実施形態に係る電気コネクタを示す斜視図である。
【図６】本発明の実施形態に係る電気コネクタを示す側面図である。
【図７】本発明の実施形態に係る電気コネクタのハウジングを示す斜視図である。
【図８】本発明の実施形態に係る電気コネクタのハウジングを示す平面図である。
【図９】本発明の実施形態に係る電気コネクタの端子を示す斜視図である。
【図１０】本発明の実施形態に係る電気コネクタの固定部材を示す斜視図である。
【図１１】本発明の実施形態に係る電気コネクタの付勢部材を示す斜視図である。
【図１２】本発明の実施形態に係る電気コネクタの回動部材を示す斜視図である。
【図１３】本発明の実施形態に係る電気コネクタの回動部材を示す側面図である。
【図１４Ａ】図２のＦ１４Ａ−Ｆ１４Ａ線に沿った切断面を示す断面図である。
【図１４Ｂ】ハウジング内への基板の挿入途中の状態を示す図１４Ａに対応した断面図である。
【図１４Ｃ】ハウジング内への基板の挿入によって回動部材が開位置から閉位置へと回動している途中の状態を示す図１４Ａに対応した断面図である。
【図１４Ｄ】ハウジング内への基板の挿入完了状態を示す図１４Ａに対応した断面図である。
【発明を実施するための形態】
【００２４】
以下、図１〜図１４Ｄを用いて、本発明の一実施形態に係る電気コネクタ１０について説明する。なお、説明の便宜上、各図中に適宜記す矢印ＦＲを電気コネクタ１０の前方とし、矢印ＬＨを電気コネクタ１０の左方とし、矢印ＵＰを電気コネクタ１０の上方とする。以下、単に前後、左右、上下の方向を用いて説明する場合、電気コネクタ１０に対する方向を示すものとする。これらの方向は、電気コネクタ１０の使用状態での方向とは無関係である。また、各図においては、図面を見易くする関係から、一部の符号を省略している場合がある。
【００２５】
（構成）
図１〜図６に示されるように、本実施形態に係る電気コネクタ１０は、挿入口１８から内部に基板１２が挿入されるハウジング１４と、ハウジング１４内に挿入された基板１２と電気的に接続される複数（ここでは５つ）の端子４６と、ハウジング１４に取り付けられた一対の固定部材４８と、ハウジング１４に取り付けられた一対の付勢部材（付勢部）５０と、ハウジング１４に回動可能に取り付けられた回動部材（アクチュエータ）としてのカバー５２とを備えている。この電気コネクタ１０は、例えば基板間接続を行うコネクタであり、上記の基板１２は、例えば中継用基板とされている。
【００２６】
なお、各図中に適宜示される矢印Ｘは、ハウジング１４内に挿入される基板１２の厚さ方向であり、矢印Ｙは、複数の端子４６の配列方向（ハウジング１４の長手方向）であり、矢印Ｚは、ハウジング１４に対する基板１２の挿抜方向である。上記の厚さ方向Ｘは、電気コネクタ１０の前後方向と一致しており、上記の配列方向Ｙは、電気コネクタ１０の左右方向と一致しており、上記の挿抜方向Ｚは、電気コネクタ１０の上下方向と一致している。以下の説明では、厚さ方向Ｘを「前後方向」と称し、配列方向Ｙを「左右方向」と称し、挿抜方向Ｚを「上下方向」と称する場合がある。この電気コネクタ１０は、左右方向に対称な形状に形成されている。
【００２７】
（ハウジングについて）
図１〜図８に示されるように、ハウジング１４は、上方へ向けて開口した収容室（有底孔）１６を有する有底の略角筒状に形成されている。このハウジング１４は、例えば合成樹脂等の絶縁性材料によって製造されたものであり、収容室１６を挟んで前後方向に対向した前壁１４Ａ及び後壁１４Ｂと、収容室１６を挟んで左右方向に対向した左右の側壁１４Ｃと、収容室１６の底面を形成する底壁１４Ｄ（図８参照）とを一体に備えている。底壁１４Ｄの下面には、本電気コネクタ１０が実装される図示しない回路基板にハウジング１４を位置決めするための円柱状の位置決めボス２０が形成されている。
【００２８】
収容室１６の上端開口部は、基板１２を収容室１６内（ハウジング１４内）に挿入するための挿入口１８とされている。収容室１６の上部には、上方側へ向かうほど前後方向及び左右方向の寸法が拡大するテーパ部１６Ａが形成されており、挿入口１８は、基板１２の幅寸法Ｗ（図１参照）及び厚さ寸法Ｔ（図３参照）に対してクリアランスを大きく確保して形成されている。このため、収容室１６内に基板１２が挿入された状態では、挿入口１８の縁部と基板１２との間に上下方向視で矩形枠状の隙間１９が形成される構成になっている。
【００２９】
また、上記のハウジング１４は、前壁１４Ａの下端部の左右両端部から前方へ突出した左右一対の前脚部２２と、後壁１４Ｂの下端部の左右両端部から後方へ突出した左右一対の後脚部２４とを備えている。これらの前脚部２２及び後脚部２４は、略ブロック状（略直方体状に形成されており、後脚部２４の方が前脚部２２よりも大きく形成されている。
【００３０】
左右の前脚部２２には、それぞれ前方、上方及び下方へ向けて開口した固定溝２６が形成されている。各固定溝２６は、図８に示されるように、前方側の狭幅部２６Ａと後方側の広幅部２６Ｂとによって構成されており、上下方向視で略Ｔ字状をなしている。広幅部２６Ｂは、狭幅部２６Ａよりも左右方向の寸法が大きく設定されている。また、広幅部２６Ｂの左右方向両端部は、下端部が塞がれた構成になっている。これらの固定溝２６は、付勢部材５０に対応している。
【００３１】
左右の後脚部２４には、それぞれ後方、上方及び下方へ向けて開口した固定溝２８が形成されている。各固定溝２８は、後方側の狭幅部２８Ａと前方側の広幅部２８Ｂとによって構成されており、上下方向視で略Ｔ字状をなしている。広幅部２８Ｂは、狭幅部２８Ａよりも左右方向の寸法が大きく設定されている。また、広幅部２８Ｂの左右方向両端部は、下端部が塞がれた構成になっている。これらの固定溝２８は、固定部材４８に対応している。
【００３２】
また、ハウジング１４の前壁１４Ａにおいて、左右の前脚部２２の上方側には、それぞれ左右方向に延びる軸受溝３０が形成されている。左右の軸受溝３０は、前方、左方及び右方へ向けて開口しており、後方側の部位が左右方向視で半円形状をなしている。これらの軸受溝３０は、後方側（奥側）の面がそれぞれ半円筒状の曲面３０Ａ（図７参照）とされており、各曲面３０Ａは、左右方向に延びる中心軸が同軸上に配置されている。これらの軸受溝３０は、カバー５２に対応している。また、各軸受溝３０の前方側の部位の下面には、それぞれ左右方向に延びる横溝３２が形成されている。これらの横溝３２は、上方及び左右方向外方へ向けて開口しており、付勢部材５０に対応している。
【００３３】
さらに、ハウジング１４の前壁１４Ａにおいて、左右の軸受溝３０の上方には、それぞれ上下方向に延びる外側縦溝３４が形成されている。左右の外側縦溝３４は、左右の軸受溝３０に繋がっており、前方、上方及び下方へ向けて開口している。これらの外側縦溝３４は、付勢部材５０に対応している。
【００３４】
また、ハウジング１４の前壁１４Ａにおいて、左右の外側縦溝３４よりも左右方向中央側には、それぞれ上下方向に延びる内側縦溝３６が形成されている。左右の内側縦溝３６は、前壁１４Ａの上端から下端まで延びており、前方、上方及び下方へ向けて開口している。これらの内側縦溝３６の上下方向中間部には、左右の軸受溝３０が繋がっている。また、左右の内側縦溝３６の略下半部は、前壁１４Ａを前後方向に貫通した左右の挿通孔３８に繋がっている。左右の挿通孔３８は、前後方向視で上下方向を長手とする矩形状をなしており、収容室１６に連通されている。また、左右の挿通孔３８は、ハウジング１４の底壁１４Ｄの前後方向中央部付近まで延びており、底壁１４Ｄを上下方向に貫通している。
【００３５】
さらに、ハウジング１４の前壁１４Ａにおける収容室１６側の面には、上下方向に延びる複数（ここでは５つ）の端子用溝４０が左右方向に並んで形成されている。これら複数の端子用溝４０は、左右の内側縦溝３６よりも左右方向中央側に配置されている。これらの端子用溝４０に対応してハウジング１４の底壁１４Ｄには、当該底壁１４Ｄを上下方向に貫通した複数（ここでは５つ）の端子用孔４２が左右方向に並んで形成されている。複数の端子用孔４２は、上下方向視で前後方向を長手とする矩形状をなしており、複数の端子用溝４０に繋がっている。複数の端子用溝４０は、後方及び下方へ向けて開口しており、複数の端子４６に対応している。
【００３６】
（端子について）
複数の端子４６（図９参照）は、例えば導電性を有する金属板が所定の形状に打ち抜かれて曲げ加工されたものである。これら複数の端子４６は、上記複数の端子用孔４２を通して上記複数の端子用溝４０に嵌め込まれることでハウジング１４に取り付けられている。各端子４６は、上下方向を長手とし且つ前後方向を板厚方向とする長尺板状に形成された端子本体部４６Ａと、端子本体部４６Ａの長手方向一端部（上端部）から端子本体部４６Ａの板厚方向一方側（後方側）かつ端子本体部４６Ａの長手方向他端側へ斜めに延びる腕部４６Ｂと、端子本体部４６Ａの長手方向他端部（下端部）から端子本体部４６Ａの板厚方向他方側（前方側）へ延びる基板接続部４６Ｃとによって構成されている。
【００３７】
端子本体部４６Ａの長手方向他端側（下部側）には、端子本体部４６Ａの幅方向両側（左右方向両側）へ突出した複数の爪部４７が上下方向に並んで形成されている。これらの爪部４７が端子用溝４０の内面に食い込むことで、端子本体部４６Ａがハウジング１４に保持されている。腕部４６Ｂは、端子本体部４６Ａの上端部から収容室１６側かつ下方側へ延びており、先端側が収容室１６内に配置されている。腕部４６Ｂの先端側には、後方側へ凸をなすように屈曲された接触部（屈曲部）４６Ｂ１が形成されている。この接触部４６Ｂ１は、収容室１６内への基板１２の挿入状態（挿入完了状態）で基板１２の配線パターン（図示省略）と接触する。これにより、端子４６と基板１２とが電気的に接続される構成になっている。基板接続部４６Ｃは、ハウジング１４の下側に配置されており、半田付け等の手段で図示しない回路基板に固定（電気的に接続）される構成になっている。
【００３８】
（固定部材について）
一対の固定部材４８（図１０参照）は、例えば金属板が所定の形状に打ち抜かれて曲げ加工されたものであり、ハウジング１４の左右の後脚部２４にそれぞれ取り付けられている。各固定部材４８は、前後方向を板厚方向とする矩形板状に形成されたハウジング固定部４８Ａと、ハウジング固定部４８Ａの下端部から延出された基板固定部４８Ｂとによって構成されている。ハウジング固定部４８Ａは、後脚部２４に形成された固定溝２８の広幅部２８Ｂに嵌め込まれている。ハウジング固定部４８Ａの左右両端部には、左右方向両側へ突出した複数の爪部４９が上下方向に並んで形成されている。これらの爪部４９が広幅部２８Ｂの内面に食い込むことで、ハウジング固定部４８Ａが後脚部２４に保持されている。基板固定部４８Ｂは、ハウジング固定部４８Ａの下端部から下方側へ延びると共に、後方側へ屈曲している。この基板固定部４８Ｂは、後脚部２４の下側に配置されており、半田付け等の手段で図示しない回路基板に固定される構成になっている。
【００３９】
（付勢部材について）
一対の付勢部材５０（図１１参照）は、例えばバネ材からなる金属板が所定の形状に打ち抜かれて曲げ加工されたものであり、ハウジング１４の左右の前脚部２２にそれぞれ取り付けられている。各付勢部材５０は、上下方向を長手とし且つ前後方向を板厚方向とする長尺板状に形成されたハウジング固定部５０Ａと、ハウジング固定部５０Ａの長手方向一端部（上端部）からハウジング固定部５０Ａの板厚方向一方側（後方側）へ延びる横延部５０Ｂと、横延部５０Ｂの先端部（後端部）から下方側へ延びる縦延部５０Ｃと、ハウジング固定部５０Ａの長手方向他端部（下端部）からハウジング固定部５０Ａの板厚方向他方側（前方側）へ延びる基板固定部５０Ｄとによって構成されている。
【００４０】
ハウジング固定部５０Ａの長手方向中間部は、ハウジング固定部５０Ａの長手方向両端部よりも左右方向の寸法が拡大された拡幅部５０Ａ１が形成されている。この拡幅部５０Ａ１は、前脚部２２に形成された固定溝２６の広幅部２６Ｂに嵌め込まれている。この拡幅部５０Ａ１には、幅方向両側（左右方向両側）へ突出した複数の爪部５１が形成されている。これらの爪部５１が広幅部２６Ｂの内面に食い込むことで、ハウジング固定部５０Ａが前脚部２２に保持されている。基板固定部５０Ｄは、前脚部２２の下側に配置されており、半田付け等の手段で図示しない回路基板に固定される構成になっている。
【００４１】
ハウジング固定部５０Ａの上端部は、ハウジング１４の軸受溝３０よりも上方側に配置されており、ハウジング固定部５０Ａの上端部から延出された横延部５０Ｂは、後方側の部位が外側縦溝３４内に挿入されている。この横延部５０Ｂの後端部から下方側へ延びる縦延部５０Ｃは、外側縦溝３４内から軸受溝３０内へ延びて、下端部が横溝３２内に挿入されている。縦延部５０Ｃの下端部は、前方側へ向けて僅かに屈曲されている。この縦延部５０Ｃは、前述した軸受溝３０の曲面３０Ａに対して前方側から対向している。
【００４２】
（カバーについて）
図１〜図６に示されるように、カバー５２は、ハウジング１４の前方側に配置されており、ハウジング１４に回動可能に取り付けられている。このカバー５２は、例えば合成樹脂等の絶縁性材料によって製造されたものであり、図１２及び図１３に示されるように、前後方向視で矩形状をなすカバー本体部５２Ａと、カバー本体部５２Ａの左右方向両端部から後方側へ延出された左右の側壁部５２Ｂと、カバー本体部５２Ａの上端部から後方側へ延びる延出部（突出部）５２Ｃとを一体に備えている。なお、図１２及び図１３に示される矢印ＦＲ、ＵＰ、Ｘ、Ｚは、カバー５２が後述する閉位置に位置する状態での方向を示している。
【００４３】
カバー本体部５２Ａの上端部は、ハウジング１４の上端部よりも上方側に配置されており、延出部５２Ｃは、カバー本体部５２Ａの上端部からハウジング１４の上方側（挿入口１８側）へ突出している。延出部５２Ｃの先端部（後端部）には、左右方向両側へ突出した左右一対の突部５２Ｃ１が形成されている。これにより、延出部５２Ｃの先端部は、ハウジング１４の挿入口１８よりも左右方向の寸法が大きく設定されている。この延出部５２Ｃの先端面（後端面）は、基板１２と当接する基板当接面５３とされている。
【００４４】
左右の側壁部５２Ｂは、カバー本体部５２Ａよりも若干下方側へ延びている。これらの側壁部５２Ｂは、ハウジング１４の左右の内側縦溝３６に挿入されている。また、左右の側壁部５２Ｂの下部は、左右の側壁部５２Ｂの上部よりも後方側（収容室１６側）へ突出した基板当接部５２Ｂ１とされている。これらの基板当接部５２Ｂ１は、ハウジング１４の左右の挿通孔３８に挿通されており、収容室１６内（ハウジング１４内）へ延びている。これらの基板当接部５２Ｂ１の先端面（後端面）は、基板１２と当接する基板当接面５４とされている。この基板当接面５４は、延出部５２Ｃの基板当接面５３と同一平面上に配置されている。つまり、図１３に示されるように、延出部５２Ｃの基板当接面５３は、基板当接部５２Ｂ１の基板当接面５４を含む仮想の平面ＰＳ上に配置されている。
【００４５】
左右の側壁部５２Ｂの下部（即ち左右の基板当接部５２Ｂ１）の左右方向外側面には、それぞれ回動軸５６が一体に設けられている。各回動軸５６は、左右方向を軸線方向とする略円柱状に形成され、互いに同軸上に配置されており、各基板当接部５２Ｂ１から左右方向外方側へ突出している。各回動軸５６の前部には、平面状に切り欠かれた平面部５６Ａが形成されており、各回動軸５６は、左右方向視で略Ｄ字状をなしている。これらの回動軸５６は、ハウジング１４の左右の軸受溝３０に嵌合しており、左右の付勢部材５０によって左右の軸受溝３０の曲面３０Ａに押し当てられている。具体的には、各回動軸５６は、各付勢部材５０の縦延部５０Ｃと各軸受溝３０の曲面３０Ａとの間に挟まれており、各軸受溝３０に対して回動自在に軸支されている。これにより、カバー５２がハウジング１４に対して図４〜図６に示される開位置と図１〜図３に示される閉位置との間で回動可能とされている。
【００４６】
但し、左右の回動軸５６は、左右の付勢部材５０を弾性変形させることで、左右の軸受溝３０に対して前方側へ変位可能とされている。つまり、これらの回動軸５６を有するカバー５２は、ハウジング１４に対して前方側、すなわちハウジング１４内に挿入された挿入状態の基板１２から離れる側（ここでは基板１２の厚さ方向一方側）へ変位可能とされている。そして、少なくとも左右の回動軸５６（すなわちカバー５２）が上記挿入状態の基板１２から離れる側へ変位した場合には、左右の付勢部材５０によって左右の回動軸５６が上記挿入状態の基板１２側へ付勢される構成になっている。
【００４７】
カバー５２が開位置に位置する状態（以下、「開状態」と称する場合がある。）では、図４〜図６及び図１４Ａに示されるように、カバー本体部５２Ａが前方側へ傾いた姿勢となり、各付勢部材５０の縦延部５０Ｃが各回動軸５６の平面部５６Ａに面接触状態で押し当てられた状態となる。この開状態から閉位置側へカバー５２が回動しようとすると、各付勢部材５０の縦延部５０Ｃが各回動軸５６によって前方側へ押圧され、各付勢部材５０の縦延部５０Ｃや横延部５０Ｂ等が弾性変形する。これにより、カバー５２が開位置へと付勢される構成になっている。また、この開状態では、図１４Ａに示されるように、左右の基板当接部５２Ｂ１は、先端部の下部側のみが収容室１６内に配置され、左右の基板当接面５４が後方側へ向かって下り勾配に傾斜した姿勢となるように構成されている。
【００４８】
一方、カバー５２が閉位置に位置する状態（以下、「閉状態」と称する場合がある。）では、図１〜図３及び図１４Ｄに示されるように、カバー本体部５２Ａの板厚方向が前後方向と一致し、カバー本体部５２Ａが上下方向及び左右方向に延在する。この閉状態では、左右の基板当接部５２Ｂ１の先端部、即ち左右の基板当接面５４の上端から下端までが収容室１６内に配置される構成になっている（図１４Ｄ参照）。また、この閉状態では、開状態よりも収容室１６内への左右の基板当接部５２Ｂ１の突出量が小さくなるように構成されている。
【００４９】
上記構成の電気コネクタ１０では、ハウジング１４の収容室１６内に基板１２が挿入されていない状態では、図１４Ａに示されるように、一対の付勢部材５０によってカバー５２が開位置に保持されている。そして、図１４Ｂに示されるように、ハウジング１４の挿入口１８から収容室１６内に基板１２が挿入されると、先ず端子４６の腕部４６Ｂの先端側に基板１２が接触して腕部４６Ｂが端子本体部４６Ａ側へ弾性変形し、その後に基板１２がカバー５２の基板当接部５２Ｂ１の基板当接面５４に当接する。その状態から更に基板１２が収容室１６の奥側へ挿入されると、基板１２が基板当接面５４と摺接することにより、カバー５２が開位置から閉位置へと回動し始める（図１４Ｃ参照）。そして、図１４Ｄに示されるように、基板１２がハウジング１４の底壁１４Ｄ（収容室１６の底面）に当接すると、収容室１６内への基板１２の挿入完了状態となる。この挿入完了状態では、カバー５２が閉位置に到達し、延出部５２Ｃの先端面である基板当接面５３が基板１２に当接する。この状態では、挿入口１８の縁部と基板１２との間に形成される矩形枠状の隙間１９のうち、基板１２よりも前方側（即ち複数の端子４６が配置された側）の部分（図１４Ｂ〜図１４Ｄにおいて符号１９Ａを付した部分）が延出部５２Ｃによって上方から覆われる構成になっている。この状態では、延出部５２Ｃの基板当接面５３が基板１２に対して幅方向（左右方向）の全域で隙間無く密着するように構成されている。
【００５０】
（作用及び効果）
次に、本実施形態の作用及び効果について説明する。
【００５１】
上記構成の電気コネクタ１０では、ハウジング１４の挿入口１８からハウジング１４内に基板１２が挿入されると、挿入口１８の縁部と基板１２との間に隙間１９が形成されると共に、基板１２が複数の端子４６と電気的に接続される。ここで、上記のハウジング１４には、カバー５２が回動可能に取り付けられている。このカバー５２は、ハウジング１４内へ延びる基板当接部５２Ｂ１と、挿入口１８側へ延びる延出部５２Ｃとを有しており、ハウジング１４内に挿入された基板１２が基板当接部５２Ｂ１に当接することで、開位置から閉位置へと回動される。これにより、カバー５２の延出部５２Ｃが上記の隙間１９の一部（複数の端子４６が配置された側の部分）を覆うので、上記の隙間１９からハウジング１４内に異物が侵入することを抑制できる。
【００５２】
しかも、本実施形態では、カバー５２が閉位置へと回動されると、延出部５２Ｃの先端部が基板１２と当接する。これにより、延出部５２Ｃと基板１２とが当接した部分（ここでは延出部５２Ｃと基板１２との間の全部）に隙間が形成されなくなるので、延出部５２Ｃの先端部が基板１２と当接しない場合（即ち延出部５２Ｃと基板１２との間の全部に隙間が形成される場合）と比較して、ハウジング１４内への異物の侵入をより効果的に抑制することができる。
【００５３】
また、本実施形態では、複数の端子４６は、ハウジング１４内に挿入された基板１２と接触する腕部４６Ｂを有している。この腕部４６Ｂは、ハウジング１４内への基板１２の挿入時に、カバー５２の基板当接部５２Ｂ１より先に基板１２と接触するように配置されている。このように、端子４６の腕部４６Ｂと基板当接部５２Ｂ１とが基板１２と接触するタイミング（位置）をずらすことにより、基板１２の挿入時の挿入力を低減することができる。また、基板１２が端子４６の腕部４６Ｂと接触する前に基板当接部５２Ｂ１と当接する場合、当該当接によって発生する異物（削り屑）が端子４６の腕部４６Ｂと基板１２との間に挟まれて導通不良等の原因になる可能性があるが、本実施形態ではこれを回避することができる。
【００５４】
さらに、本実施形態では、カバー５２を開位置へと付勢する付勢部材５０を備えている。これにより、ハウジング１４内への基板１２の挿入時に、カバー５２の延出部５２Ｃが挿入作業の邪魔にならないようにすることができる。また、基板１２がハウジング１４から抜去された際には、カバー５２が付勢部材５０の付勢力によって閉位置から開位置へと回動されるので、カバー５２を手作業等で開位置へと戻す手間がかからなくなる。
【００５５】
また、本実施形態では、カバー５２は、ハウジング１４内に挿入された挿入状態の基板１２から離れる側（基板１２の厚さ方向一方側）へ変位可能にハウジング１４に支持されている。そして、少なくともカバー５２が上記挿入状態の基板１２から離れる側へ変位した場合には、付勢部材５０によってカバー５２が上記基板１２側へ付勢される。これにより、ハウジング１４内に挿入された基板１２の厚さ寸法のばらつきに応じて、カバー５２を基板１２の厚さ方向に変位させつつ、カバー５２が上記挿入状態の基板１２から離れることを防止できる。これにより、基板１２の厚さ寸法のばらつきを吸収することができる。
【００５６】
しかも、本実施形態では、上記のように基板１２の厚さ寸法のばらつきを吸収する付勢部材５０と、カバー５２を開位置へと付勢する付勢部材５０とが、同一の部材とされているので、別々の付勢部材を設ける場合と比較して部品点数を少なくすることができる。
【００５７】
また、本実施形態では、付勢部材５０は、ハウジング１４に固定されるハウジング固定部５０Ａと、ハウジング１４が実装される回路基板に固定される基板固定部５０Ｄとを有している。つまり、付勢部材５０は、ハウジング１４を回路基板に固定するための固定具としても機能するので、上記の固定具を付勢部材５０とは別に設ける場合と比較して、部品点数を少なくすることができる。
【００５８】
また、本実施形態では、カバー５２が有する回動軸５６の外周面に形成された平面部５６Ａに付勢部材５０の縦延部５０Ｃが押し当てられることで、カバー５２が開位置に保持される。このカバー５２が開位置から閉位置へと回動されると、付勢部材５０の縦延部５０Ｃが回動軸５６により押圧されて付勢部材５０が弾性変形し、カバー５２が付勢部材５０により開位置へと付勢される。このように構成されているので、例えば捩りばね等を用いてカバー５２を開位置へと付勢する場合と比較して、構成を簡素化することができる。
【００５９】
さらに、本実施形態では、前述したようにカバー５２が閉位置へと回動された状態（以下、「カバー５２の閉状態」と称する）では、基板当接部５２Ｂ１の基板当接面５４と延出部５２Ｃの基板当接面５３とが基板１２と当接する。この基板当接面５３は、基板当接面５４を含む平面ＰＳ上に配置されているので、基板当接面５３を基板１２に対して隙間無く当接（密着）させ易くなる。
【００６０】
＜実施形態の補足説明＞
上記実施形態では、カバー５２の閉状態で、延出部５２Ｃの先端部（基板当接面５３）が基板１２と当接する構成にしたが、これに限らず、延出部の先端部が基板に対して微小な隙間を隔てて対向する構成にしてもよい。また、延出部の先端部が局部的に基板に当接する構成にしてもよい。
【００６１】
また、上記実施形態では、延出部５２Ｃの基板当接面５３が、基板当接部５２Ｂ１の基板当接面５４を含む平面ＰＳ上に配置された構成にしたが、これに限るものではない。基板当接面５３は、平面ＰＳを介して延出部５２Ｃの基端部とは反対側（図１３において平面ＰＳよりも右側）に配置されていてもよい。つまり、図１３において平面ＰＳよりも左側に基板当接面５３が配置された構成では、カバー５２の閉状態で基板当接面５３と基板１２との間に隙間が生じるが、図１３において平面ＰＳよりも右側に基板当接面５３が配置されていれば、カバー５２の閉状態で基板当接面５３を基板１２に当接させることができる。また、上記実施形態のように、基板当接面５３が平面ＰＳ上に配置される構成では、カバー５２を高精度に成形しなければならないため、カバー５２の成形が煩雑になるが、図１３において平面ＰＳよりも右側に基板当接面５３を配置させる構成では、カバー５２の成形が容易になる。
【００６２】
また、上記実施形態では、基板１２の厚さ寸法のばらつきを吸収する付勢部材５０と、カバー５２を開位置へと付勢する付勢部材５０とが、同一の部材とされた構成にしたが、これに限らず、別々の付勢部材を設ける構成にしてもよい。
【００６３】
また、上記実施形態では、付勢部としての付勢部材５０がハウジング１４に取り付けられた構成にしたが、これに限らず、付勢部がハウジング又は可動部材に一体に設けられた構成にしてもよい。また、本発明に係る電気コネクタは、付勢部を備えていないものでもよい。
【００６４】
また、上記実施形態では、ハウジング１４の前側（片側）に複数の端子４６及びカバー５２が配設された構成にしたが、これに限るものではない。ハウジング１４の前側及び後側（両側）に複数の端子４６及びカバー５２がそれぞれ配設された構成にしてもよい。
【００６５】
また、上記実施形態では、カバー５２の閉状態において隙間１９の一部のみが延出部５２Ｃにより覆われる構成にしたが、これに限るものではない。カバー５２の数、カバー５２の形状、隙間１９の設定の仕方によっては、カバー５２の閉状態において隙間１９の全部が延出部５２Ｃにより覆われるようにすることも可能である。
【符号の説明】
【００６６】
１０      電気コネクタ
１２      基板
１４      ハウジング
１８      挿入口
１９      隙間
４６      端子
４６Ｂ    腕部
５０      付勢部材（付勢部）
５０Ａ    ハウジング固定部
５０Ｄ    基板固定部
５２      カバー
５２Ｂ１  基板当接部
５２Ｃ    延出部
５３      延出部における基板との当接面
５４      基板当接部における基板との当接面
５６      回動軸
５６Ａ    平面部
ＰＳ      平面
【図１】
2020035526.tif 000003
【図２】
2020035526.tif 000004
【図３】
2020035526.tif 000005
【図４】
2020035526.tif 000006
【図５】
2020035526.tif 000007
【図６】
2020035526.tif 000008
【図７】
2020035526.tif 000009
【図８】
2020035526.tif 000010
【図９】
2020035526.tif 000011
【図１０】
2020035526.tif 000012
【図１１】
2020035526.tif 000013
【図１２】
2020035526.tif 000014
【図１３】
2020035526.tif 000015
【図１４Ａ】
2020035526.tif 000016
【図１４Ｂ】
2020035526.tif 000017
【図１４Ｃ】
2020035526.tif 000018
【図１４Ｄ】
2020035526.tif 000019